(57)【要約】【課題】機能性及びデザイン性に優れた衣類用口部材を提供すること。【解決手段】衣類用口部材は、平行に伸びる一方側縁１５及び他方側縁１８を備えた所定の幅を有し、かつ、縫合する衣類の口部の寸法に適合する所定の長さを有する経編地としてのニットエラスティックバンド１１と、バンド１１の一方側縁１５側に形成され、一方側縁１５から幅方向及び長さ方向に切り込まれて切除された所定形状の切除領域１２，１３とを有し、切除領域１２，１３の縁を含む一方側縁１５が衣類の口部に縫合される縫合縁部１６とされている。【選択図】図１
0003215630.tif 000002
【実用新案登録請求の範囲】
【請求項１】
平行に伸びる一方側縁及び他方側縁を備えた所定の幅を有し、かつ、縫合する衣類の口部の寸法に適合する所定の長さを有する経編地と、
前記経編地の前記一方側縁側に形成され、前記一方側縁から前記幅方向及び長さ方向に切り込まれて切除された所定形状の切除領域と、を有し、
前記切除領域の縁を含む前記一方側縁が前記衣類の口部に縫合される縫合縁部とされていることを特徴とする、衣類用口部材。
【請求項２】
前記衣類用口部材は、衿口部材を含み、
前記切除領域は、前記経編地の長さ方向に沿って所定の間隔を空けて首前部及び衿足部に対応する位置に形成されていることを特徴とする、請求項１に記載の衣類用口部材。
【請求項３】
前記衣類用口部材は、パンツ用ウエスト部材を含み、
前記切除領域は、前記経編地の長さ方向に沿って所定の間隔を空けて左腰脇、右腰脇及び前部に対応する位置に形成されていることを特徴とする、請求項１に記載の衣類用口部材。
【考案の詳細な説明】
【技術分野】
【０００１】
本考案は、衣類の口部に縫合されて衣類の口部分を構成する口部材に関する。より具体的には、衣類の衿ぐり（衿口）部に縫合され、衣類の衿口を構成する衿口部材や、衣類の袖口部に縫合され、衣類の袖口を構成する袖口部材や、衣類（例えばパンツ）の胴口（ウエスト）部に縫合され、当該パンツの胴口（ウエスト）を構成するウエスト部材等の衣類用口部材に関する。
【背景技術】
【０００２】
衣類の身生地の開口部、例えばＴシャツの衿ぐり部には、環状の接ぎなし筒状布が縫合され、いわゆる丸首の衿口とする構成が特許文献１に開示されている。また、特許文献１の図１４には、リング状の接ぎなし筒状布を用いて、ハイネックの丸首Ｗ付け衿を２本針（または１本針）オーバーロックで縫い合わせた状態を示すＴシャツの衿部が示されている（特許文献１の段落［００３０］を参照）。
【０００３】
特許文献２には、ショーツ１の胴口（ウエスト）部にストレッチ性を有する経編地帯状体を固定する構成が開示されている（特許文献２の段落［００１０］及び図１を参照）。
さらに、例えばジャンパーの袖口に、ニット製の筒状体を縫合して、伸縮可能な袖口とした製品が市販されている。
【先行技術文献】
【特許文献】
【０００４】
【特許文献１】特開２０１４−２２３１１３号公報
【特許文献２】特開２０１０−６５３３７号公報
【考案の概要】
【考案が解決しようとする課題】
【０００５】
従来の衣類用口部材は、衿口用のもの、袖口用のもの、胴口用のもののいずれにおいても、一定幅の環状の筒体にされたものが使用されている。また、ストレッチ性を有する経編地帯状体が用いられている場合であっても、帯状体の幅は一定である。このため、衣類用口部材が縫合された従来の衣類においては、衿口、胴口、袖口等を、よりフィット感があり、かつ機能的に優れ、デザイン的にも斬新なものに改善したいという課題があった。
【０００６】
この考案は、係る課題を解決するためになされたものであり、機能性及びデザイン性に優れた衣類用口部材を提供することを目的とする。
【課題を解決するための手段】
【０００７】
本考案は、上記目的を達成するためのものであり、請求項１に係る考案は、平行に伸びる一方側縁及び他方側縁を備えた所定の幅を有し、かつ、縫合する衣類の口部の寸法に適合する所定の長さを有する縦編地と、前記経編時の前記一方側縁側に形成され、前記一方側縁から前記幅方向及び長さ方向に切り込まれて切除された所定形状の切除領域と、を有し、前記切除領域の縁を含む前記一方側縁が前記衣類の口部に縫合される縫合縁部とされていることを特徴とする、衣類用口部材である。
【０００８】
請求項２に係る考案は、前記衣類用口部材は、衿口部材を含み、前記切除領域は、前記経編地の長さ方向に沿って所定の間隔を空けて首前部及び衿足部に対応する位置に形成されていることを特徴とする、請求項１に記載の衣類用口部材である。
請求項３に係る考案は、前記衣類用口部材は、パンツ用ウエスト部材を含み、前記切除領域は、前記経編地の長さ方向に沿って所定の間隔を空けて左腰脇、右腰脇及び前部に対応する位置に形成されていることを特徴とする、請求項１に記載の衣類用口部材である。
【考案の効果】
【０００９】
本考案によれば、衣類用口部材は、経編地で構成されているから、伸縮性に優れ、フィット感の良い口部材となる。
また、経編地は、所定形状の切除領域を有するから、経編地の幅は、切除領域が形成された部分とそうでない部分とで異なっており、機能性及びデザイン性が向上する。さらに、切除領域の縁は衣類の口部に縫合されるから、経編地に切除領域を設けても、切除領域からほつれ等が生じることもない。
【図面の簡単な説明】
【００１０】
【図１】図１は、本考案の第１の実施形態に係る衿口部材を示す平面図である。
【図２】図２は、本考案の第１の実施形態に係る衿口部材を衣類の衿ぐり（衿口）に縫合した使用状態例を示す図である。
【図３】図３（Ａ）は、ニットエラスティックバンド１１の組織表の一例であり、図３（Ｂ）は、ニットエラスティックバンド１１の組織図の一例である。
【図４】図４は、本考案の第２の実施形態に係るパンツ用ウエスト部材を示す平面図である。
【図５】図５は、本考案の第２の実施形態に係るパンツ用ウエスト部材をパンツのウエスト部に縫合した使用状態例を示す図である。
【図６】図６は、本考案の第３の実施形態に係る袖口部材を示す平面図である。
【図７】図７は、本考案の第３の実施形態に係る袖口部材を衣類の袖口部に縫合した使用状態例を示す図である。
【図８】図８は、本考案の第４の実施形態に係る裾口部材を示す平面図である。
【図９】図９は、本考案の第４の実施形態に係る袖口部材を衣類の袖口部に縫合した使用状態例を示す図である。
【考案を実施するための形態】
【００１１】
以下では、図面を参照して、本考案の実施形態について具体的に説明をする。
図１は、本考案の第１の実施形態に係る衿口部材１０を示す平面図である。図１を参照して、衿口部材１０は、一例として、幅ＷがＷ＝４０ｍｍの経編伸縮性帯を長さＬ＝４５５ｍｍに切断してなる経編地としてのニットエラスティックバンド１１を備えている。そして、ニットエラスティックバンド１１に対して、幅方向及び長さ方向に切り込まれて切除された２つの切除領域１２，１３が設けられている。
【００１２】
より具体的には、切除領域１２は、バンド１１の左端部１４から長さ方向に約６０ｍｍ右側へ入った部分において、バンド１１の幅方向一方側縁１５側からバンド１１の幅方向及び長さ方向に略台形状に切り込まれていて、台形の底辺が約７０ｍｍ、高さが約１５ｍｍ、上辺が約３５ｍｍをなしている。また、切除領域１３は、切除領域１２と、バンド１１の長さ方向に約１５０ｍｍ間隔を空け、バンド１１の幅方向一方側縁１５側からバンド１１の幅方向及び長さ方向に略台形状に切り込まれていて、台形の底辺が約７０ｍｍ、高さが約１５ｍｍ、上辺が約３５ｍｍをなしていて、切除領域１２とほぼ等しい形状をしている。
【００１３】
なお、切除領域１２，１３を構成する台形は、辺の継目が曲線状に継がった形状としてもよい。また、切除領域１２の左右方向中心部は、後に、衿口部材１０のＣＢ（センターバック）となる位置に形成されており、切除領域１３の左右方向中心部は、後に、衿口部材１０のＣＦ（センターフロント）となる位置に形成されている。
切除領域１２，１３が形成されたニットエラスティックバンド１１の幅方向一方側縁１５は、切除によって形成された切込み縁部１６と継がっており、一方側縁１５と切込み縁部１６と一方側縁１５とが連続して延びる一方側縁を備えている。
【００１４】
ところで、ニットエラスティックバンド１１の切込み縁部１６は、切り込みにより形成された縁部であるから、編糸のほつれが生じ得る部分である。そういう意味では、切断により形成されたバンド１１の左端部１４及び右端部１７と同じである。
しかしながら、衿口部材１０は、ニットエラスティックバンド１１の一方側縁１５及び切込み縁部１６が衣類の衿口部に伸ばし付けによって縫合されるので、縫合によって切込み縁部１６がほつれることは防止される。それは、バンド１１の左端部１４及び右端部１７が、一例として、左肩部分において縫合されて円環状とされ、ほつれることがないのと同様である。
【００１５】
このように、衿口部材１０は、左端部１４及び右端部１７並びに切込み縁部１６に対してほつれ防止処理を施さなくてよいので、その製作が容易にでき、ほつれ止め等の端部処理を省略できる。
図２は、図１を参照して説明した衿口部材１０を、衣類Ｓの衿ぐり（衿口）Ｓ１に縫合した、衿口部材１０の使用状態例を示す図である。図示のように、衿口部材１０は、一方側縁１５及び切込み縁部１６を含む一方側縁が衣類Ｓの衿ぐりＳ１に縫合されている。このため、衿口部材１０の開口縁は、幅方向他方側縁１８により構成されている。
【００１６】
また、衣類Ｓの前側（ＣＦ）及び後側（ＣＢ）に対応する部分は、衿口部材１０（経編地としてのニットエラスティックバンド１１）の幅Ｗが、Ｗ＝Ｗ０という相対的に幅狭領域となっている。よって、この衣類Ｓを着用した場合、着用者の首前及び首後部分において、衿口の幅Ｗ０（衿口の高さ）が小さく、首の前後への曲げ動作の際に衿口がじゃまにならず、曲げ動作がし易い。また、着用時に、首の前後部分に幅広の衿口が存在しないから、着用感が向上し、かつ、見た目の印象も良い。
【００１７】
図３（Ａ）に、ニットエラスティックバンド１１の組織表の一例を示し、図３（Ｂ）に、ニットエラスティックバンド１１の組織図の一例を示す。ニットエラスティックバンド１１は、原料としては、切り込みを考慮すると、紡績糸などの繊維長の短いものよりも、合成繊維からなる長繊維５０Ｄｔｅｘ〜４００Ｄｔｅｘが適しており、紡績糸も合成繊維と合撚することで可能となる。また高い伸縮性を得るため、弾性糸と組み合わせて編む。弾性糸としてはポリウレタン繊維が好適で、そのまま経糸として使用することも出来るが、ポリウレタン繊維を芯にしたカバーリング糸やコアスパンヤーンの様な他の繊維と複合糸にすることで耐候性や外観品位が向上することから好ましい。ポリウレタン繊維糸の繊度としては、伸長回復力を得る目的で５０Ｄｔｅｘ以上であればよく、高い回復力が必要な用途については太繊度糸を用いるか、あるいは使用本数を増やせば良い。
【００１８】
図４は、本考案の第２の実施形態に係るパンツ用ウエスト部材２０を示す平面図である。図４を参照して、ウエスト部材２０は、一例として、幅ＷがＷ＝４０ｍｍの経編伸縮性帯を長さＬ＝６６５ｍｍに切断してなる経編地としてのニットエラスティックバンド２１を備えている。そして、ニットエラスティックバンド２１に対して、幅方向及び長さ方向に切り込まれて切除された３つの切除領域２２Ｒ，２２Ｌ，２３が設けられている。
【００１９】
より具体的には、切除領域２２Ｒは、バンド２１の左端部２４（この左端部２４は、後に、右端部２７と縫合され、ウエスト部材２０のＣＢ（センターバック）となる。）から長さ方向に約１２０ｍｍ右側へ入った部分において、バンド２１の幅方向一方側縁２５側からバンド２１の幅方向及び長さ方向に略台形状に切り込まれていて、台形の底辺が１１０ｍｍ、高さが約１５ｍｍ、上辺が約５５ｍｍをなしている。切除領域２２Ｌは、バンド２１の右端部２７から長さ方向に約１２０ｍｍ左側へ入った部分において、バンド２１の幅方向一方側縁２５側からバンド２１の幅方向及び長さ方向に略台形状に切り込まれていて、台形の底辺、高さ及び上辺が切除領域２２Ｒと同じ寸法に形成されている。また、切除領域２３は、バンド２１の長さ方向中央部の、後にウエスト部材２０のＣＦ（センターフロント）となる位置に対応付けて形成されており、略台形状で、台形の底辺、高さ及び上辺の寸法は、切除領域２２Ｒ及び２２Ｌと同じ寸法とされている。
【００２０】
なお、切除領域２２Ｒ，２２Ｌの形状は、等しい形状であることが望ましいが、切除領域２３については、切除領域２２Ｒ，２２Ｌの形状や大きさと異なるものとしてもよい。
切除領域２２Ｒ，２２Ｌ，２３が形成されたニットエラスティックバンド２１の幅方向一方側縁２５は、切除によって形成された切込み縁部２６を有することになり、一方側縁２５と切込み縁部２６と一方側縁２５とが連続して延びる一方側縁を備えている。
【００２１】
ところで、ニットエラスティックバンド２１の切込み縁部２６は、切り込みにより形成された縁部であるから、編糸のほつれが生じ得る部分である。そういう意味では、切断により形成されたバンド２１の左端部２４及び右端部２７と同じである。しかしながら、ウエスト部材２０は、ニットエラスティックバンド２１の一方側縁２５及び切込み縁部２６がパンツのウエスト部に伸ばし付けによって縫合されるので、縫合によって切込み縁部２６がほつれることは防止される。それは、バンド２１の両端部２４，２７が、ＣＢとなるように互いに縫合されて円環状にされることにより、ほつれることがないように処理されることと同様である。
【００２２】
このように、ウエスト部材２０も、左端部２４及び右端部２７並びに切込み縁部２６に対してほつれ防止処理を施さなくてよいので、その製作が容易にでき、ほつれ止め等の端縁処理を省略できる。
図５は、図４を参照して説明したウエスト部材２０を、パンツＰのウエスト部Ｐ１に縫合した、ウエスト部材２０の使用状態例を示す図である。図示のように、ウエスト部材２０は、一方側縁２５及び切込み縁部２６を含む一方側縁がパンツＰのウエスト部Ｐ１に縫合されている。このため、ウエスト部材２０の開口縁は、幅方向他方側縁２８により構成されている。また、パンツＰの前側（ＣＦ）並びに右脇及び左脇に対応する部分は、ウエスト部材２０（経編地としてのニットエラスティックバンド２１）の幅Ｗが、Ｗ＝Ｗ０という相対的に幅狭領域となっている。よって、このパンツＰを着用した場合、着用者が前屈姿勢をとり易いという機能的な利点がある。また、左右の脇部のウエストゴムは、幅が狭くなっているから、着用者が腰をひねったり曲げたりし易いという利点もある。さらに、着用者が前屈姿勢をとったり、屈んだりした場合、ウエスト部材２０のＣＢ（センターバック）部分はバンド２１の幅が相対的に太いので、着用者がパンツＰの下に装着している下着等が見え難いという利点がある。
【００２３】
図６は、本考案の第３の実施形態に係る袖口部材３０を示す平面図である。
図６を参照して、袖口部材３０は、一例として、幅ＷがＷ＝４０ｍｍの経編伸縮性帯を長さＬ＝２１０ｍｍに切断してなる経編地としてのニットエラスティックバンド３１を備えている。そして、ニットエラスティックバンド３１に対して、幅方向及び長さ方向に切り込まれて切除された１つの切除領域３２が設けられている。切除領域３２は、略台形状に切り込まれて形成されており、台形の底辺が約７０ｍｍ、高さが約１５ｍｍ、上辺が約２５ｍｍをなしている。
【００２４】
図７は、図６を参照して説明した袖口部材３０を、衣類Ｓの袖口Ａに縫合した、袖口部材３０の使用状態例を示す図である。図示のように、袖口部材３０は、一方側縁３５及び切込み縁部３６を含む一方側縁が衣類Ｓの袖口Ａに縫合されている。このため、袖口部材３０の開口縁は、幅方向他方側縁３８により構成されている。
本実施形態に係る袖口部材３０によれば、着用時の着用感が向上し、かつ、見た目の印象も良い。
【００２５】
図８は、本考案の第４の実施形態に係る裾口部材４０を示す平面図である。
図８を参照して、裾口部材４０は、一例として、幅ＷがＷ＝４０ｍｍの経編伸縮性帯を長さＬ＝２２０ｍｍに切断してなる経編地としてのニットエラスティックバンド４１を備えている。そして、ニットエラスティックバンド４１に対して、幅方向及び長さ方向に切り込まれて切除された１つの切除領域４２が設けられている。切除領域４２は、略台形状に切り込まれて形成されており、台形の底辺が約７０ｍｍ、高さが約１５ｍｍ、上辺が約２５ｍｍをなしている。
【００２６】
図９は、図８を参照して説明した裾口部材４０を、衣類Ｓの裾口Ｆに縫合した、裾口部材４０の使用状態例を示す図である。図示のように、裾口部材４０は、一方側縁４５及び切込み縁部４６を含む一方側縁が衣類Ｓの裾口Ｆに縫合されている。このため、裾口部材４０の開口縁は、幅方向他方側縁４８により構成されている。
本実施形態に係る裾口部材４０によれば、着用時の着用感が向上し、かつ、見た目の印象も良い。
本考案は、以上説明した実施形態に限定されるものではなく、請求項記載の範囲内において種々の変更が可能である。
【００２７】
特に、口部材に含まれる経編地の幅や長さ、そして経編構成等は、種々の変更が可能である。また、切除領域の形状や大きさについても、デザイン性、着用性等を考え、種々の変更が可能である。
【符号の説明】
【００２８】
１０    衿口部材
１１，２１，３１，４１    ニットエラスティックバンド（経編地）
１２，１３，２２Ｒ，２２Ｌ，２３，３２，４２    切除領域
１４，２４    左端部
１５，２５，３５，４５    一方側縁
１６，２６，３６，４６    切込み縁部
１７，２７    右端部
１８，２８，３８，４８    他方側縁
２０    ウエスト部材
３０    袖口部材
４０    裾口部材
【図１】
0003215630.tif 000003
【図２】
0003215630.tif 000004
【図３】
0003215630.tif 000005
【図４】
0003215630.tif 000006
【図５】
0003215630.tif 000007
【図６】
0003215630.tif 000008
【図７】
0003215630.tif 000009
【図８】
0003215630.tif 000010
【図９】
0003215630.tif 000011